(57)【要約】  本発明は、燃料と酸化剤を発熱酸化反応で反応させて生産ガスを形成するためのバーナ・ユニット（４８）を有する改質器（１２）であって、バーナ・ユニット（４８）の下流側でこの生産ガスと追加燃料を混合することができ、得られたガス混合物を改質器（１２）でリフォーメートに改質させることができる改質器（１２）と、リフォーメートが供給される燃料電池スタック（２６）と、燃料電池スタック（２６）で変換された物質が供給される再加熱器（３６）であって、燃料と酸化剤を発熱酸化反応で反応させるためのバーナ・ユニット（５４）を有する再加熱器（３６）とを備える燃料電池システム（１０）に関する。本発明によれば、改質器（１２）のバーナ・ユニット（４８）は、アフターバーナ（３６）のバーナ・ユニット（５４）と同じ構造を有する。本発明は、さらに、このような燃料電池システム（１０）を備える自動車両に関する。
2009543304.tif 000002
【特許請求の範囲】
【請求項１】
燃料と酸化剤とを発熱酸化反応で反応させて生産ガスを形成するバーナ・ユニット（４８）を有する改質器（１２）であって、前記バーナ・ユニット（４８）の下流側でこの前記生産ガスが追加燃料と混合可能であり、得られたガス混合物が前記改質器（１２）でリフォーメートに改質可能である改質器（１２）と、
前記リフォーメートの供給を受け取る燃料電池スタック（２６）と、
前記燃料電池スタック（２６）で反応した物質の供給を受け取るアフターバーナ（３６）であって、燃料と酸化剤とを発熱酸化反応で反応させるバーナ・ユニット（５４）を有するアフターバーナ（３６）と、を備え、
前記改質器（１２）の前記バーナ・ユニット（４８）は、前記アフターバーナ（３６）の前記バーナ・ユニット（５４）と同じように設けられることを特徴とする燃料電池システム（１０）。
【請求項２】
前記改質器（１２）の前記バーナ・ユニット（４８）および前記アフターバーナ（３６）の前記バーナ・ユニット（５４）の各々が燃料インジェクタを特徴とすることを特徴とする請求項１に記載の燃料電池システム（１０）。
【請求項３】
前記改質器（１２）の前記バーナ・ユニット（４８）および前記アフターバーナ（３６）の前記バーナ・ユニット（５４）の各々が蒸発器タイプの燃料供給装置を有することを特徴とする請求項１に記載の燃料電池システム（１０）。
【請求項４】
前記請求項のいずれかに記載の燃料電池システム（１０）を備える自動車両。
【発明の詳細な説明】
【技術分野】
【０００１】
本発明は、燃料と酸化剤を発熱酸化反応で反応させて生産ガスを形成するためのバーナ・ユニットを備えた改質器であって、バーナ・ユニットの下流側でこの生産ガスと追加燃料を混合することができ、得られたガス混合物を改質器でリフォーメートに改質させることができる改質器と、リフォーメートの供給を受け取るための燃料電池スタックと、燃料電池スタックで反応した物質の供給を受け取るためのアフターバーナであって、燃料と酸化剤を発熱酸化反応で反応させるためのバーナ・ユニットを備えたアフターバーナとを備えた燃料電池システムに関する。
【０００２】
さらに、本発明は、このような燃料電池システムを備えた自動車両に関する。
【背景技術】
【０００３】
燃料電池システムは、化学エネルギーを電気エネルギーに変換する役割を果たしている。このようなシステムの中心エレメントは、水素と酸素の制御された反応によって電気エネルギーが放出される燃料電池である。燃料電池システムは、通常の実践として燃料を処理することができなければならない。燃料電池で水素および酸素が反応するため、燃料電池のアノードに供給されるガスが可能な限り高い割合の水素を有するように使用燃料を条件付けなければならず、それが改質器の役割である。そのために、燃料および空気であることが好ましい酸化剤が改質器に供給され、改質器で、たとえば部分酸化方法を実行することによって燃料と酸化剤が反応する。従来技術による改質器は、特許文献１で知られている。一方では、燃料電池システムの燃焼排気ガスを最少量の毒性放出で環境に放出するために、また、他方では、燃料電池システムの様々なコンポーネントおよび媒体流供給装置を予熱するための熱源を提供するために、燃料電池システムにアフターバーナが提供されている。改質器とは異なり、アフターバーナはほぼ総燃焼を実行し、したがって燃焼排気ガス中に放出される毒性が最少化される。従来技術によるアフターバーナは、特許文献２で知られている。
【先行技術文献】
【特許文献】
【０００４】
【特許文献１】ドイツ特許ＤＥ  １０３  ５９  ２０５  Ａ１
【特許文献２】ドイツ特許ＤＥ  １０  ２００４  ０４９  ９０３  Ａ１
【発明の概要】
【発明が解決しようとする課題】
【０００５】
本発明の目的は、コストの節約を達成することができるよう、汎用燃料電池システムおよび自動車両を洗練させることである。
【課題を解決するための手段】
【０００６】
この目的は、請求項１に記載されている燃料電池システムによって達成される。
【０００７】
本発明の有利な態様および他の実施形態は、従属請求項に記載されている。
【０００８】
本発明による燃料電池システムは、改質器のバーナ・ユニットがアフターバーナのバーナ・ユニットと同じように設計される点で、概ね従来技術に基づいている。改質器およびアフターバーナに組み込まれるバーナ・ユニットが、利用可能な空間および蒸発品質に対する要求事項に基づいて選択される従来技術と比較すると、２つの方法でコストの節約が達成される。１つは、単なる単一タイプのバーナ・ユニットの製造によって費用有効性が高くなり、また、もう１つは、２倍の残りのタイプのバーナ・ユニットが必要であり、その結果、品目価格が削減され、製造品質がより高くなるため、スケールの経済効果によってさらにコストが節約される。したがって、全く同じように設計されるバーナ・ユニットを使用することができるように燃料電池システムを設計することは、それ以外の何かに適応づけられた個別化されたバーナ・ユニットの必要性を余儀なくする設計よりも理にかなっていることが分かっている。２つのバーナ・ユニットの範囲内に物理的および化学的な周囲条件が存在することがあり、また、場合によってはそれらのすべてが大きく異なる酸化条件を選択しなければならない観点からすると、１つの同じタイプの複数のバーナ・ユニットを備えた改質器をエンジニアリングすることは、場合によっては有利である。個別化された設計は、有利ではあるが、上で言及したスケールの経済効果を利用することと比較すると、状況によっては個々のバーナ・ユニットおよび燃料電池システムの設計の適合がどちらかと言えば不利である。他の利点は、生産および工場の両方における統一在庫管理から得られる。
【０００９】
この構造の場合、改質器のバーナ・ユニットおよびアフターバーナのバーナ・ユニットの各々が燃料インジェクタを特徴とする利点が提供される。
【００１０】
代替として、上で詳述した利点は、改質器のバーナ・ユニットおよびアフターバーナのバーナ・ユニットが、それぞれ蒸発器タイプの燃料供給装置を備える状況で達成することができる。
【００１１】
本発明は、さらに、上に挙げた利点を同様に達成することができる１つのこのような燃料電池システムを備えた自動車両に関している。
【００１２】
以下、本発明の好ましい実施形態について、添付の図面を参照して、実例によって詳細に説明する。
【図面の簡単な説明】
【００１３】
【図１】好ましい実施形態例による燃料電池システムを示す線図である。
【発明を実施するための形態】
【００１４】
図１を参照すると、好ましい実施形態例による燃料電池システムの線図が示されている。自動車両に取り付けられる燃料電池システム１０は、燃料タンク１６から第１の燃料ライン１４を介して燃料の供給を受け取る改質器１２を備えている。改質器１２は、さらに、燃料タンク１６から第２の燃料ライン１８によって他の供給装置で燃料の供給を受け取っている。適切な等級の燃料は、ディーゼル、ガソリン、バイオガス、天然ガスおよび従来技術で知られている他の等級の燃料である。改質器１２は、さらに、第１の酸化剤ライン２２を介して、酸化剤、たとえば空気の供給を受け取っている。
【００１５】
改質器１２は、一次燃料供給装置を備えたバーナ・ユニット４８を備えており、この一次燃料供給装置によってバーナ・ユニット４８に燃料が供給される。一次燃料供給装置は第１の燃料ライン１４に接続されている。バーナ・ユニット４８は、さらに、第１の酸化剤ライン２２に接続された酸化剤供給装置を備えており、この酸化剤供給装置によってバーナ・ユニット４８は、酸化剤の供給を受け取ることができる。バーナ・ユニット４８の中では、燃焼反応すなわち発熱総酸化反応による燃料と酸化剤の反応が生じ、それによって得られる熱生産ガス流が、下流側の混合ゾーン５０、つまり図１の右側へ流入する。混合ゾーン５０では、得られた生産ガスが、二次燃料供給装置２０によって燃料の追加供給を受け取る。この実施例では、一次燃料供給装置および二次燃料供給装置は、それぞれ、インジェクタおよび好ましくはベンチュリ・ノズルを備えている。しかしながら、多孔性蒸発器を備えた蒸発タイプの燃料供給装置によって燃料をそれぞれバーナ・ユニット４８および混合ゾーン５０に供給することも可能である。二次燃料供給装置２０は第２の燃料ライン１８に接続されている。さらに、混合ゾーン５０が酸化剤の供給を受け取ることも可能である。追加燃料と混合されたガス混合物が改質ゾーン５２に流入し、そこで、好ましくは改質ゾーン５２の中に存在している触媒によって吸熱反応で反応し、水素が豊富なガス混合物になる。このリフォーメートすなわち水素が豊富なガス混合物は、リフォーメートライン２４を介して改質器１２から流出し、燃料電池スタック２６の中でさらに有効使用される。
【００１６】
リフォーメートは、燃料電池スタック２６の中で、カソード供給空気ライン２８を介して供給されるカソード供給空気を使用して反応し、それにより電気および熱が生成される。電気は、電気ターミナル３０を介して取り出されることができる。図に示されている実例では、アノード排気ガスライン３２を介してアフターバーナ３６の混合機３４にアノード排気ガスが供給される。アフターバーナ３６は、燃料タンク１６から第３の燃料ライン３８を介して燃料の供給を受け取っている。さらに、アフターバーナ３６は、第２の酸化剤ライン４０を介して酸化剤の供給を受け取っている。
【００１７】
アフターバーナ３６はバーナ・ユニット５４を備えており、バーナ・ユニット５４は、バーナ・ユニット５４に燃料を供給する燃料供給装置を備えている。燃料供給装置は、第３の燃料ライン３８に接続されている。さらに、バーナ・ユニット５４は、第２の酸化剤ライン４０に接続された酸化剤供給装置を特徴としており、この酸化剤供給装置によってバーナ・ユニット５４に酸化剤を供給することができる。バーナ・ユニット５４の中では、燃料と酸化剤が、発熱酸化反応すなわち実質的に総燃焼で反応する。それによって得られる燃焼排気ガスが、下流側の混合ゾーン５６、つまり図１の右側へ流入する。混合ゾーン５６では、得られた排気ガスが混合機３４によってアノード排気ガスと混合される。アノード排気ガスと混合されたガス混合物は燃焼ゾーン５８に流入する。図に示されている実施形態例では、燃焼ゾーン５８には多孔性ボディが充填されており、この多孔性ボディの中でガス混合物が実質的に総合的に燃焼する。つまり、燃焼ゾーン５８の多孔性ボディ部分でガス混合物が白熱光を発するようになる。
【００１８】
アフターバーナ３６からの燃焼排気ガスは、カソード排気空気ライン４４を介して燃料電池スタック２６から混合機４２へ供給されるカソード排気空気と混合機４２で混合され、熱交換器４６を通って流れて、最終的に燃料電池システム１０から流出する前にカソード排気空気を予熱する。
【００１９】
改質器１２の個々のゾーン、すなわちバーナ・ユニット４８を収容しているゾーン、混合ゾーン５０および改質ゾーン５２、ならびにアフターバーナ３６の個々のゾーン、すなわちバーナ・ユニット５４を収容しているゾーン、混合ゾーン５６および燃焼ゾーン５８は、図１では破線で互いに分割して画定されている。これらのゾーンは、構造的特徴または界面によってなだらかに互いに分割されることができる。
【００２０】
上で説明した図には明確に示されていないが、たとえばポンプまたは送風機および／または制御弁などの対応する送出し手段を、燃料ライン１４、１８および３８、酸化剤ライン２２および４０、ならびにカソード供給空気ライン２８に設けて、それらの流れを制御することができる。
【００２１】
以上の説明および図面の中で開示されている本発明の特徴、ならびに特許請求されている本発明の特徴は、場合によってはそれら自体またはそれらの任意の組合せの両方によって本発明を達成するための本質であることを理解されたい。
【符号の説明】
【００２２】
１０…燃料電池システム、１２…改質器、１４…第１の燃料ライン、１６…燃料タンク、１８…第２の燃料ライン、２０…二次燃料供給装置、２２…第１の酸化剤ライン、２４…リフォーメートライン、２６…燃料電池スタック、２８…カソード供給空気ライン、３０…電気ターミナル、３２…アノード排気ガスライン、３４…混合機、３６…アフターバーナ、３８…第３の燃料ライン、４０…第２の酸化剤ライン、４２…混合機、４４…カソード排気空気ライン、４６…熱交換器、４８…バーナ・ユニット、５０…混合ゾーン、５２…改質ゾーン、５４…バーナ・ユニット、５６…混合ゾーン、５８…燃焼ゾーン
【図１】
2009543304.tif 000003
【国際調査報告】
2009543304.tif 000004
2009543304.tif 000005
2009543304.tif 000006
2009543304.tif 000007